(57)【特許請求の範囲】
【請求項１】
ロール状シートの芯となる紙管において、
紙管原紙により構成された中空円筒の紙管層と、
前記紙管層の内周面若しくは外周面に固定され、香料と水を吸収してゲル化した高吸収性ポリマーと、
前記高吸収性ポリマーを被膜する通気性フィルムを備えることを特徴とする紙管。
【請求項２】
幅１００〜１１５ｍｍ、直径３５〜５０ｍｍであり、前記高吸収性ポリマーに前記香料を２４０μＬ以上含有させることを特徴とする請求項１に記載の紙管。
【請求項３】
請求項１又は２に記載の紙管と、
前記紙管を芯として巻回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、トイレットペーパーが紙管に巻回されたトイレットロールにおいて、紙管に香料を付与したものが知られている。
【０００３】
例えば、紙管を構成する内側中空円筒と外側中空円筒との間に香料を介在させると共に、内側中空円筒、或いは、外側中空円筒に複数の穿孔を設けることにより、常時均一な揮発効果を得られる香り付きトイレットロールが開示されている（例えば、特許文献１参照）。
【先行技術文献】
【特許文献】
【０００４】
【特許文献１】特許第４１５９０６１号公報
【発明の概要】
【発明が解決しようとする課題】
【０００５】
しかしながら、特許文献１に記載されたようなトイレットロールでは、紙管に付与できる香料の量には限りがあり、所謂、芳香剤の代わりになる程度の芳香性能を実現することは難しいといった問題点があった。
【０００６】
本発明の課題は、芳香剤の代わりとして使用可能な芳香性能を実現できる紙管及び当該紙管を使用したロール状シートを提供することにある。
【課題を解決するための手段】
【０００７】
前記課題を解決するために、請求項１記載の発明は、
ロール状シートの芯となる紙管において、
紙管原紙により構成された中空円筒の紙管層と、
前記紙管層の内周面若しくは外周面に固定され、香料と水を吸収してゲル化した高吸収性ポリマーと、
前記高吸収性ポリマーを被膜する通気性フィルムを備えることを特徴とする。
【００１０】
請求項２記載の発明は、請求項１に記載の紙管において、
幅１００〜１１５ｍｍ、直径３５〜５０ｍｍであり、前記高吸収性ポリマーに前記香料を２４０μＬ以上含有させることを特徴とする。
【００１１】
請求項３記載の発明は、ロール状シートにおいて、
請求項１又は２に記載の紙管と、
前記紙管を芯として巻回されたシートと、を備えることを特徴とする。
【発明の効果】
【００１２】
本発明によれば、高吸収性ポリマーに多量の香料を含有させることができるので、芳香剤の代わりとして使用可能な芳香性能を実現できる。
【図面の簡単な説明】
【００１３】
【図１】本発明のロール状トイレットペーパーの斜視図である。
【図２】本発明の紙管の側面図（ａ）及びＸ−Ｘ部断面図（ｂ）である。
【図３】本発明の紙管の紙管形成前の平面図（ａ）及びフィルムの詳細図（ｂ）である。
【図４】本発明の紙管の形成方法を示す説明図である。
【発明を実施するための形態】
【００１４】
以下、図面を参照しつつ、本発明の実施形態である紙管及び当該紙管を使用したロール状シートを詳細に説明する。但し、発明の範囲は、図示例に限定されない。
【００１５】
（実施形態）
本実施の形態では、シートとしてトイレットペーパーを例示して、ロール状シートとしてロール状トイレットペーパーを例示して、説明することとする。
【００１６】
＜ロール状トイレットペーパー＞
ロール状トイレットペーパー１００は、例えば、図１に示すように、紙管１と、紙管１を芯として巻回されたトイレットペーパー２と、などを備えて構成され、紙管１内にペーパーホルダーの支持部を挿入した状態で、トイレットペーパー２を引き出して使用するのが一般的である。
ロール状トイレットペーパー１００の大きさは特に限定されないが、直径１００〜１２０ｍｍ、幅１００〜１１５ｍｍ、紙管径３５〜５０ｍｍのものが一般的であり、本発明においても好適である。
【００１７】
トイレットペーパー２を構成する原紙は、原料パルプを主原料とする薄葉紙用抄紙原料により製造できる。その原料パルプは、特に限定されるものではなく、トイレットペーパー２の具体的な用途に応じて適宜の原料パルプを選択し、また適宜配合して使用することができる。
【００１８】
また、トイレットペーパー２のプライ数及び坪量は、その用途によって適宜調整することができるが、プライ数が１プライから３プライ、全体での紙厚１００〜２７０μｍ、１プライあたりの坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなると共に、ゴワ付き感が生じてしまい肌触りが悪くなる。なお、坪量の測定方法は、ＪＩＳ  Ｐ  ８１２４（１９９８）による。
【００１９】
また、紙厚の測定方法は、試験片をＪＩＳ  Ｐ  ８１１１（１９９８）の条件下で十分に調湿した後、同条件下でダイヤルシックネスゲージ（厚み測定器）「ＰＥＡＣＯＣＫＧ型」（尾崎製作所製）を用いて測定するものとする。具体的には、プランジャーと測定台の間にゴミ、チリ等がないことを確認してプランジャーを測定台の上に下ろし、前記ダイヤルシックネスゲージのメモリを移動させてゼロ点を合わせ、次いで、プランジャーを上げて試料を試験台の上におき、プランジャーをゆっくりと下ろしその時のゲージを読み取る。この時、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は、１プライの場合は１プライで測定し、複数プライの場合は複数プライで測定する。測定値は、測定を１０回行って得られる平均値とする。
【００２０】
＜紙管＞
紙管１は、例えば、図１に示すように、略中空円筒形状をなしている。
図２は、紙管１の側面図及びＸ−Ｘ部断面図であって、図２（ａ）の側面図に示すように、紙管１は、内側紙管原紙１１（内側のため図面には付番せず。）及び外側紙管原紙１２が共に螺旋状に巻かれて接着剤で貼り合わされた二層積層構造のスパイラル紙管である。
好ましくは、坪量１２０〜２２０ｇ／ｍ２、紙厚１５０〜５００μｍの内側紙管原紙１１及び外側紙管原紙１２を螺旋状に巻いて二層積層構造にしたスパイラル紙管が紙管１の強度を確保しやすい。
例えば、図２（ａ）中のＪＴ２１、ＪＴ２２及びＪＴ２３に示す実線は、外側紙管原紙１２を螺旋状に巻いて構成される外層ＯＬ２１の図面前面側に形成される外側紙管原紙１２の継ぎ目部分であり、また、ＪＴ２４及びＪＴ２５に示す破線は、外側紙管原紙１２を螺旋状に巻いて構成される外層ＯＬ２１の図面裏面側に形成される外側紙管原紙１２の継ぎ目部分である。
なお、図２（ａ）中の付番していない他の破線は、内側紙管原紙１１を螺旋状に巻いて構成される内層ＩＬ２１に形成される内側紙管原紙１１の継ぎ目部分である。
また、内層ＩＬ２１及び外層ＯＬ２１は紙管層ＬＹ２１を構成している。
【００２１】
また、図２（ｂ）のＸ−Ｘ部断面図に示すように、紙管１は、内側紙管原紙１１及び外側紙管原紙１２を螺旋状に巻いた中空円筒からなる紙管層ＬＹ２１と、紙管層ＬＹ２１の内周面に設けられ、接着剤により固定された香料と水を付与してゲル化した高吸収性ポリマーＰＬ２１と、高吸収性ポリマーＰＬ２１を被膜するフィルムＦＬ２１と、を有している。
【００２２】
高吸収性ポリマーＰＬ２１は、自重の数百倍から約千倍までの水を吸収し保持することができ、例えば、ポリアクリル酸ナトリウムを顆粒状にしたものは、紙おむつ、生理用品、蓄冷剤、ドリップ吸収材、結露防止剤、芳香剤、携帯簡易トイレ、洗剤原料、顔料分散剤、繊維処理剤、水処理剤、製油助剤、パッキン、食品添加物等に使用されている。また、高吸収性ポリマーＰＬ２１としては、ポリアクリル酸ナトリウムの他には、ポリアクリル酸、ポリビニルアルコール系、ポリスルホン酸塩系等がある。
【００２３】
高吸収性ポリマーＰＬ２１は、顆粒状であって、接着剤によって内側紙管原紙１１の表面に固定される。例えば、高吸収性ポリマーＰＬ２１の粒径としては０．５ｍｍ〜３．０ｍｍ程度である。
また、高吸収性ポリマーＰＬ２１には、水に溶かした香料が塗布されて、香料と共に水分を吸収してゲル化することにより、多量の香料を包含する。
【００２４】
フィルムＦＬ２１は、高吸収性ポリマーＰＬ２１を保護するものであって、芳香の妨げにならない、香料から揮発する気体を透過させる通気性のフィルムであり、例えば、ポリエチレンのフィルムや多孔質フィルム等が用いられる。また、フィルムＦＬ２１は、通気性であれば厚みは基本的に任意である。
【００２５】
或いは、フィルムＦＬ２１は、上層は通気性がなく、下層は通気性がある２種類のフィルムにより、二層の構造を形成し、使用時に上層のフィルムを剥がして使用するものでもよい。この場合、上層のフィルムを剥がすまで、香料の揮発を防ぐことができるので、使用時まで芳香性能を維持することができる。
【００２６】
また、フィルムＦＬ２１により高吸収性ポリマーＰＬ２１を挟持等して固定する場合は、高吸収性ポリマーＰＬ２１を接着剤により紙管層ＬＹ２１に直接固定する必要はない。
【００２７】
また、高吸収性ポリマーＰＬ２１に吸収含有させる香料は、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモス又はモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料、或いはこれらの２つ以上の混合物を上げることができる。
【００２８】
ちなみに、図２（ｂ）においては、各層（内層、外層）の構成を見やすくするため、フィルムＦＬ２１の厚さを誇張して表現しているが、実際には、内側紙管原紙１１及び外側紙管原紙１２と比較して、フィルムＦＬ２１の厚さは薄く、内側紙管原紙１１の内周面に塗布された酢酸ビニル系等の接着剤によって、貼り合わされることになる。
【００２９】
ここで、紙管１の形成方法について図３及び図４を用いて説明する。図３は、本発明の紙管１の紙管形成前の平面図（ａ）及びフィルムＦＬ２１の詳細図（ｂ）であり、図４は、本発明の紙管１の形成方法を示す説明図（斜視図）である。
【００３０】
図３（ａ）に示すように、内側紙管原紙１１の表面に塗布された接着剤上に顆粒状の高吸収性ポリマーＰＬ２１が均等に撒かれて固定され、その後、水に溶かした香料が高吸収性ポリマーＰＬ２１の上から塗布される。
【００３１】
なお、高吸収性ポリマーＰＬ２１の量は１ロール当り１．８ｇ程度まで固定することができる。それ以上の量の高吸収性ポリマーＰＬ２１を固定すると嵩張ってしまい上層の高吸収性ポリマーＰＬ２１を固定することができない。
【００３２】
その後、高吸収性ポリマーＰＬ２１は、水分と共に塗布された香料を徐々に吸収して肥大化してゲル化し、直径が５．０ｍｍ〜１０．０ｍｍ程度に肥大化する。
【００３３】
このように高吸収性ポリマーＰＬ２１が肥大化する前に、図３（ｂ）に示す空気孔ＡＰ３１を有する通気性のフィルムＦＬ２１で高吸収性ポリマーＰＬ２１を被膜し、図３（ａ）のフィルム接着部ＢＤ３１に塗布された酢酸ビニル系等の接着剤によってフィルムＦＬ２１を接着する。
【００３４】
すなわち、高吸収性ポリマーＰＬ２１が肥大化し過ぎると紙管１の形状を維持できなくなるためである。
また、通常の紙管に包含可能な香料は１２０μＬ程度であり、これ以上香料を包含させると、紙管は香料を保持できず、紙管から香料が漏れてしまう。これに対して、高吸収性ポリマーＰＬ２１には、１２００μＬ程度の多量の香料を包含させることが可能である。
【００３５】
そして、図４に示すように、図３においてこれらの内側紙管原紙１１等を、螺旋状に巻いて行くことにより、長尺の中空円筒が構成され、構成された長尺の中空円筒を所定の長さに適宜切断することにより、紙管１が形成される。
【００３６】
このように形成された紙管１を使用したロール状シート１００は、紙管層ＬＹ２１の内周面に固定された高吸収性ポリマーＰＬ２１に多量の香料を含有しているので、芳香剤の代わりとして使用可能な芳香性能を実現できる。
【実施例１】
【００３７】
ここで、表１は、下記に示す条件において、実施例１〜３及び比較例１〜２をポリエチレンフィルムに密閉した上で、保管期間内の製品劣化を想定して、室温５０度、湿度５０％の条件で、０時間静置後、１２時間静置後、２４時間静置後における芳香の強さの関係を示す試験結果である。
【００３８】
実施例１：紙管に固定された高吸収性ポリマーに香料１２００μＬ
＋水２４００μＬを包含させる。
高吸収性ポリマー：ポリアクリル酸系高吸収性樹脂
香料：小川香料  ＢＲ２４８９１
実施例２：紙管に固定された高吸収性ポリマーに香料２４０μＬ
＋水４８０μＬを包含させる。
高吸収性ポリマー：ポリアクリル酸系高吸収性樹脂
香料：小川香料  ＢＲ２４８９１
実施例３：紙管に固定された高吸収性ポリマーに香料６００μＬ
＋水１２００μＬを包含させる。
高吸収性ポリマー：ポリアクリル酸系高吸収性樹脂
香料：小川香料  ＢＲ２４８９１
比較例１：ロールの芯際に、ペーパーと芯の隙間にマイクロピペットを用い
て香料１２０μＬ付与する。（無香タイプのエリエールシャワー
トイレットを使用)
比較例２：ロールの芯際に、ペーパーと芯の隙間にマイクロピペットを用い
て香料１６０μＬ付与する。（無香タイプのエリエールシャワー
トイレットを使用)
【００３９】
（実施例１〜３の作成手順）
（１）幅１１４ｍｍの芯を１２８ｍｍ×１１４ｍｍの長方形平面に展開し、長方形の対角線と垂直に５０ｍｍ、対角線と並行に１００ｍｍの５０ｍｍ×１００ｍｍ長方形範囲内に、紙管糊１．２２ｇを均一に塗布する。
（２）５０ｍｍ×１００ｍｍ長方形範囲内の４０ｍｍ×８０ｍｍの長方形範囲内に、それぞれ、
実施例１：０．２３ｇ
実施例２：０．０４６ｇ
実施例３：０．１１５ｇ
の高吸収性ポリマーを均一に付与する。
（３）フィルムはポリエチレンフィルムで、直径１ｍｍ程度の空気孔を複数有し（全体で１５％程度を占める）、厚み２５μｍ、大きさ５０ｍｍ×１００ｍｍの長方形フィルムを使用して被膜する。
【００４０】
【表１】
0006604798.tif 000002
【００４１】
表１において、検証者は１２人で、５段階で評価し、１２人の検証者の平均値を記載している（評価基準…５：ロールからしっかり香りを感じた。４：香りを感じた。３：やや香りを感じた。２：わずかだが香りを感じた。１：全く香りを感じなかった）。
【００４２】
表１から明らかなように、比較例１では、室温５０度、湿度５０％の条件で、１２時間静置後程度で、平均値が２．７となっているのに対して、実施例１では、室温５０度、湿度５０％の条件で、１２時間静置後であっても、平均値が５．０であり、２４時間静置後（倉庫保管期間１〜２カ月に相当）であっても、平均値が４．５であり、比較例１と比べて芳香剤の代わりとして使用可能な芳香性能を有していることがわかる。
【００４３】
比較例２では、高吸収性ポリマーを使用しないため、紙管内側にまで香料が多量に浸透し、紙管糊を溶かすことによる接着不良が多く、また、紙管に香料を保持できず、紙管から香料が漏れてしまう。このため、高吸収性ポリマーを使用せずに香料１６０μＬ以上を付与することは困難である。
【００４４】
また、実施例２では、高吸収性ポリマーを使用するため香料を２４０μＬ含有させることができると共に、表１から明らかなように、「香りを感じた」人、「やや香りを感じた」人が半々程度である。このため、高吸収性ポリマーに、少なくとも香料を２４０μＬ以上含有させることにより、比較例１と比べて芳香剤の代わりとして使用可能な芳香性能を有することがわかる。
【実施例２】
【００４５】
また、表２は、下記に示す香料の含有量の条件において、実施例４をポリエチレンフィルムに密閉した上で、保管期間内の製品劣化を想定して、室温５０度、湿度５０％の条件で、２４時間静置後における芳香の強さの関係を示す試験結果である。
【００４６】
実施例４：紙管に固定された高吸収性ポリマーに表２に記載の条件の香料と
水を包含させる。
高吸収性ポリマー：ポリアクリル酸系高吸収性樹脂
香料：小川香料  ＢＲ２４８９１
【００４７】
【表２】
0006604798.tif 000003
【００４８】
表２においても表１と同様に、検証者は１２人で、５段階で評価し、１２人の検証者の平均値を記載している（評価基準…５：ロールからしっかり香りを感じた。４：香りを感じた。３：やや香りを感じた。２：わずかだが香りを感じた。１：全く香りを感じなかった）。
【００４９】
表２から明らかなように、香料が２４０μＬの場合は平均値が３．４であり、表１における比較例１の平均値２．３と比べても芳香剤の代わりとして使用可能な芳香性能を有していることがわかる。すなわち、少なくとも香料が２４０μＬ以上であれば、芳香剤の代わりとして使用可能な芳香性能を実現することができる。
【００５０】
以上のように、本発明の実施形態では、ロール状シートの芯となる紙管１において、紙管原紙により構成された中空円筒の紙管層ＬＹ２１と、紙管層ＬＹ２１の内周面に接着剤により固定された香料と水を付与してゲル化した高吸収性ポリマーＰＬ２１とを備えることにより、高吸収性ポリマーＰＬ２１に、紙管に付与できる香料の量を超えた多量の香料を含有することができるので、芳香剤の代わりとして使用可能な芳香性能を実現できる。
【００５１】
なお、本発明の実施形態では、内側紙管原紙１１及び外側紙管原紙１２が共に螺旋状に巻かれて接着剤で貼り合わされた紙管層ＬＹ２１から成る二層積層構造のスパイラル紙管が例示されているが、勿論、長方形の内側紙管原紙１１及び外側紙管原紙１２を軸に対して垂直方向に一層だけ巻きつける二層積層構造の平巻き紙管であってもよい。
【００５２】
また、本発明の実施形態では、内側紙管原紙１１及び外側紙管原紙１２が共に螺旋状に巻かれて接着剤で貼り合わされた紙管層ＬＹ２１から成る二層積層構造のスパイラル紙管が例示されているが、勿論、一枚の紙管原紙から構成される一層構造の紙管であってもよい。
【００５３】
また、本発明の実施形態では、紙管層ＬＹ２１の内周面に高吸収性ポリマーＰＬ２１が固定されているが、紙管層ＬＹ２１の外周面に高吸収性ポリマーＰＬ２１を固定するものであってもよい。
【符号の説明】
【００５４】
１  紙管
２  トイレットペーパー（シート）
１１  内側紙管原紙
１２  外側紙管原紙
１００  ロール状トイレットペーパー（ロール状シート）
ＩＬ２１  内層
ＯＬ２１  外層
ＬＹ２１  紙管層
ＰＬ２１  高吸収性ポリマー
ＦＬ２１  フィルム
【図１】
0006604798.tif 000004
【図２】
0006604798.tif 000005
【図３】
0006604798.tif 000006
【図４】
0006604798.tif 000007